(57)【要約】【課題】集魚効果が向上し、さらに、発光体の交換が容易な発光ルアーを提供する。【解決手段】鹿の角を略棒状に加工して形成されたルアー本体１ａの内部に、軸方向に中空部２を形成し、この中空部２に発光体３を着脱自在に装着し、ルアー本体側面に複数の透孔４を穿孔し、この透孔４に石英球７を埋設し、ルアー本体１ａの両端部にアイ５ａ、５ｂを取り付け、一端部のアイ５ｂに釣り針６を連結する。ルアー本体を、小魚を模して形成すると、集魚効果はさらに向上する。【選択図】        図１
2005278583.tif 000002
【特許請求の範囲】
【請求項１】
本体内部に発光体を着脱可能に形成された中空部と、本体側面に形成された発光用の複数の透孔とを備えた発光ルアーであって、前記本体の素材が天然のカルシウムを主成分とする動物の角であり、前記透孔に石英で形成された石英球が埋設されたことを特徴とする発光ルアー。
【発明の詳細な説明】
【技術分野】
【０００１】
本発明は、魚釣用の疑似餌であるルアーに関するもので、特に表面又は内部に発光機能を備えた発光ルアーに関するものである。
【背景技術】
【０００２】
従来から、魚釣の際に、集魚効果を高めるための手段として、疑似餌であるルアーに発光機能を持たせたものが種々提案されている。例えば、ルアー（疑似餌）１にドリル等でΦ１ｍｍ〜Φ５ｍｍの穴をあけ、その大きさにあわせて集魚用化学発光体を内蔵する光るルアー（特許文献１）があり、また、発光ダイオードを具備した発光手段と、前記発光手段に電力を供給する電池とを内部に有し、少なくとも一部が透光性を有する透明材質樹脂で形成された本体ケースと、前記本体ケースに被せる軟質材のラバーとから構成される発光ルアー（特許文献２）があり、また、糸や針を結合するためのアイと、本体と、釣り針とを備えるルアーにおいて、アイと本体の材質が、亜鉛又は亜鉛合金であって、一体形成され、ルアーの表面には開口部を有する溝が設けられ、その溝に発光体を備えているルアー（特許文献３）がある。また、集魚効果を高める他の手段としては、アラニン、グリシン及びアルギニンの３つのアミノ酸を必須成分として含む集魚材に、カルシウム成分（例えば、さんご、牡蠣殻、卵殻、ミルク、エビ、カニ由来のカルシウム剤やドロマイト等）、糖質を副成分として含有させた集魚剤（特許文献４）があり、あるいは、表面に真珠光沢層が露出した天然貝からなるルアーにおいて、前記真珠光沢層の表面にフッ化カルシウムの薄膜層を形成したことを特徴とする天然貝ルアー（特許文献５）などがある。
【０００３】
【特許文献１】登録実用新案第３０５００３７号公報
【特許文献２】特開平２０００−２０１５７８号公報
【特許文献３】特開２００２−３２５５２６号公報
【特許文献４】特開平５−１６８３８５号公報
【特許文献５】特開２００３−３１０１０３号公報
【発明の開示】
【発明が解決しようとする課題】
【０００４】
光を利用し集魚効果を高める方法は、例えば漁火など古来より公知の技術である。上記特許文献１は、本技術を利用したものであり、疑似餌であるルアーにドリルで穴をあけ、その穴に発光体を内蔵させ、ルアー自体が発光するようにしたものであるが、発光体の殆どが穴に埋没して、発光するのは穴の開口部のわずかな部分であるため、大きな集魚効果を得ることができないと推測される。また、特許文献２は、特許文献１の問題点を解決したものであり、発光ダイオードを内蔵する本体ケースが透明材質樹脂で形成されているためルアー全体が発光して集魚効果が期待できるものである。しかし、発光ダイオードと電池を交換するために本体ケースを用意に分割できるように形成する必要があり、さらに、分割される本体ケースの接合部にはパッキンからなるＯリングを設けるなど防水加工を要し、製造工程が複雑化する。特許文献３も特許文献２と同様に、特許文献１の問題を解決したもので、ルアー表面に開口部を有する溝を形成し、その溝に発光体を装着させるために、特許文献１よりは発光量が増加するものの、ルアー全体を透明にした特許文献２よりは発光量が少なく、集魚効果も低いと考えられる。さらに、特許文献２のルアーの材質である透明樹脂や、特許文献３のルアー本体の材質である亜鉛や亜鉛合金は、集魚効果を向上させる材質としては不適当であるとともに、例えば釣り場近傍の海中に放置されると環境に悪影響を与えるという問題がある。
【０００５】
また、特許文献４は、集魚材を撒き餌として使用するものであり、且つ、集魚材に使用されるカルシウムは、必須成分として含有されるアミノ酸に副成分として含有されるものであり、ルアー（疑似餌）とは技術思想が異なっている。また、特許文献５は、天然貝表面の真珠光沢層の反射光がプリズム的な作用によりレイクトローリングでのトラウト類に威力を発揮するという公知技術を利用したものであり、ルアー表面にフッ化カルシウムの薄膜層を形成して、炭酸カルシウムを主成分とする真珠光沢層の酸化を防止するものである。従って、特許文献５は、発光体を使用して集魚効果を高める工夫を行っている特許文献１〜３とは技術思想が異なる。
【０００６】
そこで本発明者は、鋭意研究の結果、環境に悪影響を与えない哺乳動物の角を用いてルアー本体を形成するとともに、このルアー本体に発光体を着脱可能に装着し、さらに、海中への発光量を増加させるために形成された複数の透孔に石英球を埋設することにより、集魚効果を向上することができ、発光体の交換が容易にできる発光ルアーを開発するに至ったのである。
【課題を解決するための手段】
【０００７】
このため本発明は、本体内部に発光体を着脱可能に形成された中空部と、本体側面に形成された発光用の複数の透孔とを備えた発光ルアーであって、前記本体の素材が天然のカルシウムを主成分とする動物の角であり、前記透孔に石英で形成された石英球が埋設されたことを最も主要な特徴とする。
【発明の効果】
【０００８】
本発明に係る発光ルアーによれば、集魚効果が向上し、さらに、発光体の交換が容易であるという優れた効果を有する。
【発明を実施するための最良の形態】
【０００９】
以下、本発明の実施例について図を参照して説明するが、本発明が本実施例に限定されないことは言うまでもない。図１は、本発明に係る発光ルアーの一実施例を示す斜視図である。図２は、本発明に係る発光ルアーの他の実施例を示す右側面図である。
【実施例】
【００１０】
図１に示すように、本発明に係る発光ルアー１は、ルアー本体１ａと、ルアー本体１ａ内部に形成された中空部２と中空部２に装着された発光体３と、ルアー本体側面に穿孔された複数の透孔４と、この透孔４に埋設された石英球７と、ルアー本体１の両端部に取り付けられたアイ５ａ、５ｂとアイ５ｂに取り付けられた釣り針６とからなっている。
【００１１】
ルアー本体１ａは、鹿の角を略棒状に加工され、本体内部の軸方向に中空部２が貫通されている。この中空部２に、発光体３が着脱自在に装着されている。
【００１２】
発光体３は、浮き用として市販されている株式会社ルミカ製の発光浮（商品名：ケミホタル）を用いた。この発光体３は、プラスチック製の外筒の内部にガラス製の内筒が備えられる二重構造であり、外筒には蛍光物質が封入され、内筒には活性剤が封入されている。この発光体３を屈曲させると、ガラス製の内筒が割れて内筒内に封入されていた活性剤が、外筒内の蛍光物質と混合され、化学反応を起こすことにより、発光体３自ら発光する。この際、外筒はプラスチック製なので割れることはない。また、プラスチックは弾力性があるために、中空部２の径を発光体３の径よりわずかに小径に形成しておけば、発光体３の中空部２への装着性が向上し、発光体３の脱落防止をすることができる。また、プラスチックで筒状に形成された外筒は可撓性も有している。このため、中空部２が多少曲がって形成されても、発光体３を容易に挿入することができる。尚、装着された発光体３は、人指で容易に引抜くことができる。このように発光体３がルアー本体１ａに着脱自在であるので、発光体３の発光量が低下した際には、容易に新しい発光体３と交換できる。ルアー本体１ａを交換することなく、発光体３だけを交換すればよいので経済的である。
【００１３】
また、ルアー本体１ａ側面の適所には、複数の透孔４が、本体表面から中空部２まで貫通して穿孔されている。これは、ルアー本体１ａの中空部２に挿入された発光体３の本体外部への発光量を多くするためである。上記特許文献１では、この透孔４が無かったので、ルアー全体としての発光量が乏しく、集魚効果が期待できなかった。本実施例の発光量は、ルアー本体を透明樹脂にした特許文献２には及ばないものの、集魚効果は充分にある。
【００１４】
さらに、透孔４には、石英を素材とする石英球７が埋設されている。本実施例では、石英球７は、球の上部をルアー本体１ａの表面上に突出させた状態で、一部の透孔４に埋設されているが、全部の透孔４に埋設しても構わない。また、埋設方法は、本実施例では、透孔４よりも僅かに拡径に形成された石英球７を圧入しているが、透孔４と同径の石英球７を接着剤を用いて透孔４内に接着させても良い。このように、透明の石英球７を透孔４に埋設することにより、さらに、集魚効果を高めることができた。これは、石英球７が球形であるため、発光体３から発光された光（本実施例では、主成分は黄色）が、散乱して海中に発光され、あるいは、石英球７のわずかなプリズム作用により多色に分光されることにより、魚の好む色を発光させることができたためと推測する。本実施例では、石英球７として、水晶玉を使用したが、ガラス玉でもよい。尚、石英球７の代用として、プラスティックなど樹脂製の透明な球を使用しても、多少の集魚効果は期待できると推測される。
【００１５】
ルアー本体１ａの一端部に取り付けられたアイ５ａは釣り糸（図示せず）とルアー１を連結するものである。ルアー本体１ａの他端部に取り付けられたアイ５ｂには、釣り針６が連結されている。
【００１６】
図２は、本発明に係る発光ルアー１１の他の実施例を示す右側面図である。図２に示すように、発光ルアー１１は、ルアー本体１１ａと、ルアー本体１１ａ内部に形成された中空部１２と中空部１２に装着された発光体１３と、ルアー本体側面に穿孔された複数の透孔１４と、この透孔１４に埋設された石英球１７と、ルアー本体１１の両端部に取り付けられたアイ１５ａ、１５ｂと、アイ１５ｂに取り付けられた釣り針１６とからなっている。ルアー本体１１ａを、目的とする魚の餌さとなる小魚の形状に模して形成することにより、集魚効果がさらに向上する。ルアー本体１１ａの材質は、鹿の角である。他の構成部材については、図１、図２で示した実施例と同様であるので説明は省略する。
【００１７】
上記二つの実施例で使用したルアー本体１ａ、１１ａの材質は、鹿の角であるが、鹿の角以外でも、例えば、牛、山羊、羊などの角でも代用できる。これらの哺乳動物の角は、動物体内の血液によって運ばれたカルシウムが固化したものであり、天然の炭酸カルシウムである。上記特許文献４では、さんご、牡蠣殻、卵殻、ミルク、エビ、カニから天然カルシウム成分を抽出して利用するものであり、さらに抽出したカルシウム成分を撒餌に副成分として含有させているが、本実施例は、天然カルシウムを主成分とする哺乳動物の角自体をルアーの形状に加工形成するものである。動物の角は、硬い性質を有する一方、いろんな形に加工できることは公知である。この特徴を利用して、小魚を模したルアーも容易に形成することができる。
【００１８】
本実施例のルアー１を用いて、本発明者は、経験的に、市販の他の材質の発光ルアー（例えば、本体が合成樹脂製の発光ルアー）に比べて２倍以上の釣果を得られる集魚効果を確認している。尚、哺乳動物の内、例えばサイのように皮膚が角質化して形成された角は、集漁効果は低いと推測される。
【００１９】
さらに、本発明に係る発光ルアーは、ルアー本体１ａ、１１ａが天然カルシウムで形成されているので、万が一、海中に放置されたとしても、水中植物の肥料となり、環境に悪影響を与えることが無い。
【図面の簡単な説明】
【００２０】
【図１】本発明に係る発光ルアーの一実施例を示す斜視図である。
【図２】本発明に係る発光ルアーの他の実施例を示す右側面図である。
【符号の説明】
【００２１】
１、  １１      ルアー
１ａ、１１ａ    ルアー本体
２、  １２      中空部
３、  １３      発光体
４、  １４      透孔
５ａ、  ５ｂ    アイ
１５ａ、１５ｂ    アイ
６、  １６      釣り針
７、  １７      石英球
【図１】
2005278583.tif 000003
【図２】
2005278583.tif 000004